(57)【要約】【課題】  プリンタの記録手段を使用してマーカーを給送トレイに形成し、被記録材の形状、および、マーカーと被記録材との相対位置が被記録材を設置する度に異なる場合に応じて、正確な位置に記録する記録方法を提供すること。【解決手段】  被記録材を設置した給送トレイを給送して被記録材に記録を行う記録方法において、給送トレイにトレイの基準位置を示すマーカーを記録し、被記録材とマーカーを含む給送トレイ全体を撮像し、撮像した画像からマーカーと被記録材の相対位置を算出し、それらを基に記録情報を生成する。【選択図】  図６
2020203382.tif 000002
【特許請求の範囲】
【請求項１】
被記録材を設置した給送トレイを給送して記録手段により被記録材に記録を行う記録方法において、
前記給送トレイは、被記録材を設置する被記録材設置部材を備え、
前記給送トレイにトレイの基準位置を示すマーカーを前記記録手段により記録するマーカー記録工程と、
被記録材設置部材および被記録材の少なくとも一方とマーカーを含む給送トレイ全体を撮像する撮像工程と、
前記撮像工程で取得した画像からマーカーと被記録材設置部材および被記録材の少なくとも一方の相対位置を算出し、それらを基に記録情報を生成する生成工程と、
を有することを特徴とする記録方法。
【請求項２】
被記録材を設置した給送トレイを給送して記録手段により被記録材に記録を行う記録方法において、
被記録材を撮像する撮像工程と、
前記撮像工程で取得した画像から被記録材の形状情報を算出し、その情報にトレイの基準位置を示すマーカー情報を加えた情報を生成し、その情報を基に被記録材を給送トレイに設置する位置とマーカーを記録手段により給送トレイに記録する記録工程と、
を有することを特徴とする記録方法。
【請求項３】
前記撮像工程で取得した画像から被記録材の形状情報を算出し、その情報にトレイの基準位置を示すマーカー情報を加えた情報を生成し、その情報を基に被記録材に記録する記録情報を生成することを特徴とする請求項２に記載の記録方法。
【請求項４】
前記マーカーを特定のインクで生成することを特徴とする請求項１乃至請求項３の何れか一項に記載の記録方法。
【請求項５】
前記マーカーとその周辺を、光反射率が異なる色でそれぞれ生成することを特徴とする請求項１乃至請求項４の何れか一項に記載の記録方法。
【請求項６】
前記マーカーを特定の符号で生成することを特徴とする請求項１乃至請求項５の何れか一項に記載の記録方法。
【請求項７】
前記マーカーを検出することで給送トレイの位置決めを行い、そこからの相対位置で記録情報を被記録材に記録することを特徴とする請求項１乃至請求項６の何れか一項に記載の記録方法。
【発明の詳細な説明】
【技術分野】
【０００１】
本発明は、記録方法および記録装置に関し、詳しくは、ディスク・カード・ネイルシートなど不特定形状の被記録材をトレイによって保持して記録を行う記録方法およびその記録装置に関する。
【背景技術】
【０００２】
従来、インクジェットプリンタにより、ＣＤやＤＶＤ等のプリンタブルディスクのラベル面に画像を印刷する技術がある。その際、プリンタにおいてディスクを搬送する方法として、専用の給送トレイにユーザがディスクを設置し、印刷用紙が搬送される搬送路とは異なる搬送路によりディスクトレイを搬送する方法がある。
【０００３】
特許文献１には、トレイに設置したＣＤなどの被記録材の正確な位置に記録する技術が開示されている。具体的には、給送トレイ上に反射率の高い検出マーカーを設け、この検出マーカーをプリンタのセンサが読み取ることで、給送トレイの位置及びトレイ上に設置した被記録材の位置を算出することで、正確な位置に記録する。
【先行技術文献】
【特許文献】
【０００４】
【特許文献１】特開２００４−４２３７２号公報
【発明の概要】
【発明が解決しようとする課題】
【０００５】
しかしながら、上記の特許文献１に記載の技術では、給送トレイ上のマーカーを読み取ると、自動的に被記録材の形状とトレイ上の位置も決まるとしているが、被記録材の形状およびマーカーと被記録材との相対位置が被記録材を設置する度に異なる場合、プリンタは被記録材の位置が算出できない。また、マーカーの形成手段としてホットスタンプが記載されているが、新規の給送トレイを作成したい場合、プリンタの他にホットスタンプの機能を有する機器が必要になる。
【０００６】
上記の課題を鑑みて本発明は、プリンタの記録手段を使用してマーカーを給送トレイに形成し、被記録材の形状、および、マーカーと被記録材との相対位置が被記録材を設置する度に異なる場合に応じて、正確な位置に記録する記録方法を提供することを目的とする。
【課題を解決するための手段】
【０００７】
上記の目的を達成するために、本発明に係る記録方法は、
被記録材を設置した給送トレイを給送して記録手段により被記録材に記録を行う記録方法である。そして、マーカー記録工程と撮像工程と生成工程を有することを特徴とする。マーカー記録工程は、被記録材を設置する被記録材設置部材を備えた給送トレイにトレイの基準位置を示すマーカーを記録手段により記録する。撮像工程は、被記録材設置部材および被記録材の少なくとも一方とマーカーを含む給送トレイ全体を撮像する。生成工程は、前記撮像工程で取得した画像からマーカーと被記録材設置部材および被記録材の少なくとも一方の相対位置を算出し、それらを基に記録情報を生成する。
また、上記課題を解決するための本発明の記録方法は、被記録材を設置した給送トレイを給送して記録手段により被記録材に記録を行う記録方法である。そして、撮像工程と、記録工程を有することを特徴とする。撮像工程は、被記録材を撮像する。記録工程は、前記撮像工程で取得した画像から被記録材の形状情報を算出し、その情報にトレイの基準位置を示すマーカー情報を加えた情報を生成し、その情報を基に被記録材を給送トレイに設置する位置とマーカーを記録手段により給送トレイに記録する。
【発明の効果】
【０００８】
本発明に係る記録方法によれば、トレイ上に設置する被記録材の形状やトレイ上の位置が記録の度に異なっていても正確に記録することができる。また、プリンタの記録手段のみを用いて、給送トレイ上にマーカーを生成することができる。
【図面の簡単な説明】
【０００９】
【図１】画像処理装置のハードウェア構成例を示すブロック図
【図２】プリンタの記録ヘッドの模式図
【図３】プリンタの制御回路部の構成を示すブロック図
【図４】プリンタ全体のハードウェア構成を示すブロック図
【図５】給送トレイの模式図
【図６】撮像対象トレイと撮像データに記録情報を加えた一例
【図７】被記録材が設置されたトレイを撮像して記録情報を生成するシーケンス図
【図８】給送トレイにマーカーを記録する際のプリンタのフローチャート
【図９】給送トレイに設置された被記録材に記録情報を記録する際のプリンタのフローチャート
【図１０】被記録材が設置されたトレイを撮像して記録情報を生成する画像処理装置のフローチャート
【図１１】被記録材を撮像して記録情報を生成するシーケンス図
【図１２】マーカーと被記録材の位置が記録された給送トレイの一例
【発明を実施するための形態】
【００１０】
以下、本発明を実施するための形態について、図面を参照しながら説明する。
【実施例１】
【００１１】
本実施形態に関わる画像処理装置およびプリンタで構成されるシステム構成について説明する。
【００１２】
図１は画像処理装置のハードウェア構成例を示すブロック図である。
【００１３】
画像処理装置１００には以下の装置が構成されている。１０１は制御バス／データバスであり、各部とＣＰＵ１０２とを接続する。１０２はＣＰＵ（中央演算装置）であり、本実施形態で説明する画像処理方法をプログラムに従って実行する。１０３はＲＯＭであり、ＣＰＵ１０２により実行される、本実施形態の画像処理方法に対応するプログラムが記憶されている。１０４はＲＡＭであり、ＣＰＵ１０２によるプログラムの実行時に、各種情報を一時的に記憶するためのメモリを提供している。１０５はハードディスク等の２次記憶装置であり、画像ファイルや画像解析結果を保存するデータベースなどを保存するための記憶媒体である。
【００１４】
１０６はディスプレイであり、本実施形態の処理結果をユーザーに提示する装置である。画像処理装置１００は、このほかにユーザーが処理の指示等を入力するためのマウス１０７や文字等を入力するキーボード１０８といったユーザインタフェース（ＵＩ）も備える。マウス１０７やキーボード１０８の代わりに、該ディスプレイ１０６がタッチパネル機能を備え、タッチパネルの操作で処理の指示、文字入力等を行う機能を備えてもよい。１０９はデジタルカメラ等の内部撮像デバイスであり、該内部撮像デバイス１０９で撮像された画像は、所定の画像処理を経た後、２次記憶装置１０５に保存される。ＲＯＭ１０３に記憶されている制御プログラムの一部または全部が２次記憶装置１０５に記憶されていてもよく、制御プログラムには、ＯＳ（Ｏｐｅｒａｔｉｎｇ  Ｓｙｓｔｅｍ）と、アプリケーションプログラムが含まれる。
【００１５】
また、本実施形態における印刷装置として画像等を記録媒体に印刷するプリンタ１１１が、ＩＦ１１０を介して接続されている。画像処理装置１００が内蔵されている装置は、例えば、スマートフォンやタブレット、パソコンのようなモバイルコンピュータ端末である。また、画像処理装置１００が内蔵されている装置は、デジタルカメラやビデオカメラ、テレビやスピーカーなど各種の装置でもよい。
【００１６】
図２はプリンタ１１１の記録ヘッドの模式図である。図１に示すプリンタ１１１が図２に示す記録ヘッド２０１を含む。
【００１７】
記録ヘッド２０１はインクを搭載し、図２では４色を例に記載しているが何色でも良い。制御回路部２０２は、記録ヘッド２０１を駆動するために必要な記憶部、演算部及び通信部を含む。記録ヘッド２０１は、制御回路部２０２から記録信号と制御信号を受信し、その制御信号に従って記録信号に基づいたインクの吐出を行う。給送トレイ２０３上に設置された被記録材２０４は、不図示の給送ローラによって給送トレイ２０４給送されることで、被記録材２０３上に画像が記録（印刷）されていく。
【００１８】
図３はプリンタ１１１の制御回路部２０２の構成を示すブロック図である。
【００１９】
制御回路部２０２は、入力インタフェース（ＩＦ）３０１、ＣＰＵ３０２、出力インタフェース（ＩＦ）３０３、ＲＯＭ３０４、ＲＡＭ３０５を含む。入力インタフェース３０１は、不図示の操作部及び外部のコンピュータ等から、印刷対象の画像データ、及び、記録ヘッドを駆動するための制御信号の入力を受け付ける。入力インタフェース３０１は、それらの画像データや制御信号をＲＡＭ３０５とＣＰＵ３０２に送る。その際、ＣＰＵ３０２は、不揮発性メモリであるＲＯＭ３０４に記憶されている制御プログラムを実行して、画像データに信号処理を行う。信号処理された画像データは印刷データとして制御信号とともに、出力インタフェース３０３から出力される。出力された印刷データと制御信号とにより記録ヘッド２０１が駆動され、被記録材２０３に画像が印刷される。
【００２０】
図４はプリンタ１１１全体のハードウェア構成を示すブロック図である。なお、プリンタ１１１は図４で記載されていない構成を備えていてもよい。
【００２１】
４０１は制御バス／データバスであり、各部と先述した制御回路部２０２とを接続する。記録部４０２は、インクジェット記録ヘッドである記録ヘッド２０１を備えている。記録ヘッド２０１は、インク色毎に個別にインクタンクが交換可能に装着されることになっている。記録ヘッド２０１は、記録データに基づきヒーター（発熱素子）等によりインクに熱を与えている。この熱によりインクを膜沸騰させ、この膜沸騰による気泡の発生によって生じる圧力変化によって記録ヘッド２０１の吐出口からインクを吐出させ、吐出させたインク滴によって被記録材上に画像を記録するように構成されている。本実施例では、プリンタ１１１はＩＦ４０３を介して画像処理装置１００と接続されている。
【００２２】
給紙部４０４は、印刷用紙等のシート材Ｐを格納するためのカセットや給紙口と、該シートを給紙する給紙ローラを備え、該シート材Ｐをシート搬送部４０５に送る。シート搬送部４０５は、給紙部４０４から送られた印刷用紙等のシート材Ｐを搬送する搬送ローラとＰＥセンサを備えている。搬送ローラに回転時の負荷が与えられることで安定した搬送が行われる。そのために、軸受と搬送ローラとの間に搬送ローラテンションばねが設けられ、該搬送ローラを付勢することで所定の負荷が与えられるように構成されている。
【００２３】
排紙部４０６は、２本の排紙ローラと、該排紙ローラに所定圧で当接することで従動回転可能な拍車と、搬送ローラの駆動を排紙ローラに伝達するためのギア列を備えている。排紙ローラは、プラテンに取り付けられている。搬送方向上流側の排紙ローラは、金属軸に複数のゴム部（排紙ローラゴム）が設けられている。もう一方の排紙ローラは、樹脂の軸に複数のエラストマー等の弾性体が取り付けられた構成となっている。コイルばねを棒状に設けた拍車ばねによって、拍車の拍車ホルダへ取り付けと排紙ローラへの圧接等が行われる。拍車には、主に記録される時のシート材Ｐの搬送力を生み出すものと、主に記録される時のシート材Ｐの浮き上がりを阻止するもので構成されている。排紙ローラの間には紙端サポートが備えられている。
【００２４】
紙端サポートは、シート材Ｐの両端を持ち上げ、排紙ローラの先でシート材Ｐを保持することにより、先出のシート材Ｐ上の画像記録部を擦ることによる記録画像のダメージ又は、品位低下を防止するためのものである。紙端サポートは、樹脂部材を紙端サポートばねによって付勢することで、コロを所定の押圧力でシート材Ｐに押しつけることにより、シート材Ｐの両端を持ち上げて該シート材Ｐの腰を作って該シート材Ｐを保持するように構成されている。トレイ搬送部４０７は、スライドカバーとトレイガイドとアームを備えている。アームの先端に形成された傾斜部によって、該アームは円滑にプラテンと拍車ホルダの間に入り込むことができる。これにより、プラテンと拍車ホルダの間に、後述する被記録材を設置した給送トレイを通過させるスペースが形成される。アームは、プラテンと拍車ホルダとの間に挿入された状態で位置決めされるようになっており、突出する（前進する）前のトレイガイドに収納された状態では、該トレイガイドに対しガタを持った状態で、収納されている。スライドカバーを記録装置の本体方向へ移動させない状態では、トレイ搬送部の開口部が閉じられているため、トレイを挿入することができない。
【００２５】
スライドカバーを記録装置の本体方向へ移動させると、スライドカバーが斜め上方向に移動することによって、スライドカバーとトレイガイドとの間にトレイ挿入用の開口部が形成される。ユーザはこのようにディスクトレイを装填したトレイを開口部から挿入し、所定位置にセットすることができる。なお、トレイ搬送部４０７が含む各種モータやローラ等のハードウェア構成の一部として、シート搬送部４０５と共通のハードウェア構成が用いられてもよい。後述する給送トレイの上には記録部によって形成された給送トレイ位置検出マーカーがあり、マーカー検出部４０５によって検出される。検出手段は特許文献１に記載されているような、反射率の高い検出マーカーから反射される光を検出する光量検出手段でもよいし、特定の符号で形成された検出マーカーを読み取る符号検出手段でもよい。また、画像処理装置１００に備わっている撮像デバイス１０９がプリンタ１１に備わっていてもよいし、画像処理装置１００全体がプリンタ１１１に備わっていてもよい。
【００２６】
図５は給送トレイの模式図である。
【００２７】
給送トレイ５００はプリンタにトレイの基準位置を示すマーカーを設置するためのマーカー設置部５０１と、被記録材設置部材５０３および被記録材５０４を設置するための被記録材設置部５０２を備えている。マーカー設置部５０１にはプリンタ１１１の記録部４０２によって作成されたマーカーが設置される。マーカーの一例が５０５である。白のような光の反射率の高いインクで記録された部分５０６と、黒のような光の反射率の低いインクで記録された部分５０７で構成されている。
【００２８】
プリンタ１１１のマーカー読取部４０８は、マーカー設置部５０１にマーカー５０５が設置された給送トレイ５００に光を照射し、その反射率の差を解析することで被記録材に記録するときの基準となるマーカーの位置を読み込むことができる。なお、光の反射率以外の特性を利用したマーカーを使用してもよい。例えば、マーカー読取部４０８が特定の符号を認識することができる場合は、マーカー設置部５０１には特定の符号が記録されたマーカーを設置してもよい。また、マーカー読取部が特定のインクを認識することができる場合は、マーカー設置部５０１には特定のインクを使用したマーカーを設置してもよい。
【００２９】
なお、予めマーカー５０５がある場合は、プリンタ１１１で新たにマーカーを作成せずに、そちらを使用してもよい。その場合も、マーカー読取部が読み取ることができれば、マーカーの作成方法や形状等はなんでもよい。例えば、マーカー読取部が素材の違いを認識することができる場合は、５０６と５０７に異なる素材を用いてよい。また、５０６と５０７の片方は素材の色、もう片方はその他のインクで構成してもよい。また、ホットスタンプを用いてマーカーを作成してもよい。被記録材設置部５０２には被記録材設置部材５０３と被記録材５０４が設置される。被記録材設置部材５０３は給送トレイ５００上で被記録材５０４が動かないように固定するためのものである。一例として、給送トレイ５００全体に対して被記録材設置部５０２が凹んでおり、その凹みに中央が被記録材５０４と同じ形状でくり抜かれた被記録材設置部材５０３を設置する。
【００３０】
給送トレイ５００上に被記録材５０４を固定することができれば、被記録材設置部材５０３の素材は何でもよい。厚紙やプラスチックや金属などが考えられる。また、給送トレイ５００上に被記録材５０４を固定することができれば、被記録材設置部材５０３は粘着テープや接着剤のような特定の形状を持たない物でもよい。
【００３１】
図６は画像処理装置１００の撮像デバイス１０９が撮像対象とする給送トレイと、撮像データに解析と記録情報を付加した結果の一例である。
【００３２】
撮像対象トレイ６００にはマーカー５０５と被記録材５０４が設置されている。撮像した画像は画像処理装置１００のディスプレイ１０６に表示される。撮像画像に対して、トレイの基準位置を示すマーカー位置６０１と、そこからの被記録材の相対位置６０２を解析する。解析手法は従来の技術を用いる。撮像画像の色検出手法や輪郭検出手法を用いて画像処理装置１００が自動で検出してもよいし、ユーザーが自ら位置を入力してもよい。解析後、ユーザーは解析によって求められた被記録材位置６０２を考慮しながら、被記録材に記録する記録情報７０３を作成する。
【００３３】
図７はマーカーと被記録材が設置されたトレイを撮像して記録情報を生成するシーケンス図である。
【００３４】
まず始めに７００において、プリンタ１１１は記録部４０２を用いて、マーカー読取部４０８が読み取り可能なマーカーをマーカー設置部５０１に記録する。一例として、５０５のようなマーカーである。なお、予めマーカー部材に印刷したマーカーや、ホットスタンプ等によって作成されたマーカーがある場合は、本シーケンスでマーカーを作成する必要はなく、そちらをマーカー設置部にはめ込んで使用してもよい。
【００３５】
次に、７０１において、画像処理装置１００は７００で作成された給送トレイ５００に被記録材５０４を設置した給送トレイ全体を撮像する。７０１の工程開始時から７０４の工程が完了するまで給送トレイ５００上の被記録材の位置を固定しなければならない。したがって、被記録材設置部材５０３も給送トレイ５００に設置された状態で撮像する。
【００３６】
次に７０２において、画像処理装置１００は７０１で撮像された画像を解析する。先述した解析手法を用いて、マーカーの位置と、そこからの被記録材の相対位置を解析してディスプレイ１０６上に表示する。次に７０３において、解析して求められた被記録材位置の上に記録情報を作成する。作成後、マーカーも含めた記録情報をプリンタ１１１に送信する。
【００３７】
最後に７０４において、プリンタは受信したデータを用いて被記録材５０４に記録情報を記録する。まず、７０１で撮像した給送トレイをプリンタに設置する。次に、設置したトレイに対してマーカー読取部４０８は７００で作成したマーカーを読み取り、給送トレイの位置を求める。その後、求められた給送トレイの位置と受信したデータから記録情報を記録する位置を求める。最後に、記録情報を求められた位置に記録する。
【００３８】
図８は給送トレイにマーカーを記録する際のプリンタのフローチャートである。
【００３９】
まず初めに８００において、プリンタ１１１のトレイ搬送部４０７に給送トレイが有るか判定する。トレイが無い場合は処理を終了する。トレイがある場合は８０１に進む。続いて８０１において、プリンタの記録手段を用いて給送トレイ上にマーカーを記録し、全体の処理を終了する。なお、マーカーの形状や種類は先述した通りである。
【００４０】
図９は給送トレイに設置された被記録材に記録情報を記録する際のプリンタのフローチャートである。
【００４１】
まず初めに９００において、画像処理装置１００からマーカーも含めた記録情報を受信する。続いて９０１において、トレイ搬送部４０７にユーザーによって設置された、マーカーと被記録材が設置された給送トレイを、プリンタ１１１に搬送する。
【００４２】
続いて９０２において、プリンタ１１１のトレイ搬送部４０７に給送トレイが有るか判定する。トレイ搬送部４０７の搬送可能なトレイ・マーカー・被記録材の仕様に反するトレイが設置された場合は９０１のトレイ搬送がうまくいかず、本フローでトレイ無しと判定される。トレイが無い場合は処理を終了する。トレイがある場合は９０３に進む。
【００４３】
続いて９０３において、給送トレイをマーカー読取部４０８がマーカーを読み取れる位置まで搬送する。
【００４４】
続いて９０４において、給送トレイ上にマーカーが有るか判定する。マーカーが無い場合は処理を終了する。マーカーがある場合は９０５に進む。
【００４５】
続いて９０５において、給送トレイと記録情報の位置合わせを行う。９０４で得られた給送トレイ上のマーカーの情報と、９００で得られたマーカーも含めた記録情報を使用し、両者のマーカーの位置が合うようにトレイの位置を更新する。
【００４６】
続いて９０６において、記録情報を印刷する。更新された給送トレイの位置と９００で受信したデータから記録情報を記録する位置を求める。その後、記録情報を求められた位置に記録する。
【００４７】
図１０は被記録材が設置されたトレイを撮像して記録情報を生成する画像処理装置のフローチャートである。
【００４８】
まず初めに１０００において、給送トレイを撮像する。
【００４９】
続いて１００１において、撮像した画像を解析する。解析手法は先述した通り、画像処理装置１００が画像解析によって自動で判定してもよいし、ユーザーがマーカーの有無、位置、形状を入力してもよい。
【００５０】
続いて１００２において、１００１での解析結果にマーカーが有るか判定する。マーカーが無い場合は処理を終了する。マーカーがある場合は１００３に進む。
【００５１】
続いて１００３において、１００１での解析結果に被記録材があるか判定する。被記録材が無い場合は処理を終了する。被記録材が有る場合は１００４に進む。
【００５２】
続いて１００４において、ユーザーは解析によって求められた被記録材位置を考慮しながら、被記録材に記録する記録情報を作成する。
【００５３】
最後に１００５において、１００４で作成した記録情報とマーカーも含めたデータをプリンタ１１１に送信して全体の処理を終了する。
【００５４】
上記の実施例によれば、トレイ上に設置する被記録材の形状やトレイ上の位置が異なるごとに本シーケンスを行うことで、トレイ上に設置する被記録材の形状やトレイ上の位置が記録の度に異なっていても正確に記録することができる。また、プリンタの記録手段のみを用いて、給送トレイ上にマーカーを生成することができる。
【実施例２】
【００５５】
図１１は被記録材を撮像して記録情報を生成するシーケンス図である。
【００５６】
まず始めに１１０１において、ユーザーは画像処理装置１００の撮像デバイス１０９を使用して被記録材を撮影する。撮像した画像をプリンタ１１１に送信し、１１０２に進む。
【００５７】
続いて１１０２において、画像処理装置１００から受信した被記録材の画像に、給送トレイの位置を検出するためのマーカー情報を加える。
【００５８】
続いて１１０３において、１１０２で作成したデータを給送トレイに記録する。詳細は図１２を用いて後述するが、被記録材の設置位置とマーカーが記録された給送トレイが作られる。
【００５９】
続いて１１０４において、１１０２で作成したデータを画像処理装置１００に送信する。
【００６０】
続いて１１０５において、受信した画像にあるマーカーと被記録材位置を考慮しながら、被記録材に記録する記録情報を作成する。作成後、マーカーも含めた記録情報をプリンタ１１１に送信する。
【００６１】
最後に１１０６において、プリンタ１１１は受信したデータを用いて被記録材に記録情報を記録する。ユーザーは１１０３で作成された、被記録材の設置位置が記録された給送トレイ上に、記録情報に従い被記録材を設置する。こうすることで給送トレイ上のマーカーと被記録材の位置が一意に決まり、１１０５で作成した記録情報が被記録材に正確に記録することができる。
【００６２】
図１２はマーカーと被記録材の位置が記録された給送トレイの一例である。
【００６３】
図１１の１１０２の処理で、給送トレイに記録するデータがプリンタで作られる。このときプリンタは、画像処理装置１００から受け取った被記録材の画像データと給送トレイのデータを用いて最適なマーカー情報を記録するデータに加える。１２００の給送トレイに記録するデータは、マーカー１２０１と被記録材設置位置１２０２との距離を近づけている。近づけることにより、トレイ給装部４０７で給送トレイが滑ることで発生する誤差を少なくすることができる。また、１２０３の給送トレイに記録するデータはマーカー１２０４が縦に設置されている。マーカーを縦に設置することにより、縦に長い被記録材に記録することができる。なお、最適なマーカー情報はプリンタで自動で判断して生成してもよいし、ユーザーによって手動で生成してもよい。
【００６４】
その後、図１１の１１０３の印刷処理で、給送トレイ（１２００や１２０３）にマーカー（１２０１や１２０４）と被記録材設置位置（１２０２や１２０５）を印刷する。ユーザーは図１１の１１０６の被記録材に記録する際、被記録材を１２０２や１２０５のガイドに従って設置することで、被記録材の意図した場所に正確に記録することができる。
【００６５】
上記の実施例によれば、トレイ上に設置する被記録材の形状やトレイ上の位置が異なるごとに本シーケンスを行うことで、トレイ上に設置する被記録材の形状やトレイ上の位置が記録の度に異なっていても正確に記録することができる。また、プリンタの記録手段のみを用いて、給送トレイ上にマーカーを生成することができる。なお、本シーケンスでは画像処理装置で被記録材を撮像し、そのデータをプリンタに送ったが、プリンタが撮像デバイスを持ち、被記録材を撮像してもよい。
【符号の説明】
【００６６】
１００  画像処理装置、１０１  制御バス／データバス、１０２  ＣＰＵ、
１０３  ＲＯＭ
【図１】
2020203382.tif 000003
【図２】
2020203382.tif 000004
【図３】
2020203382.tif 000005
【図４】
2020203382.tif 000006
【図５】
2020203382.tif 000007
【図６】
2020203382.tif 000008
【図７】
2020203382.tif 000009
【図８】
2020203382.tif 000010
【図９】
2020203382.tif 000011
【図１０】
2020203382.tif 000012
【図１１】
2020203382.tif 000013
【図１２】
2020203382.tif 000014